(57)【要約】【課題】電子レンジで安全に加温することができる新たな電子レンジ加温用飲料充填ボトルを提供する。【解決手段】飲料を充填する透明なプラスチック製ボトル容器本体と蓋体とを備えた電子レンジ加温用飲料充填ボトルであって、プラチックフィルム（「ラベル」と称する）を、ボトル容器本体の外周に被覆してなる構成を備え、当該ラベルには、ボトル容器本体内に存在する飲料の容量を目視できる帯状の窓部を縦方向に設けると共に、当該窓部に沿った位置に間隔をおいて、ボトル容器本体内に存在する飲料の容量に応じた電子レンジの出力及び加熱時間を表示してなる構成を備えた、電子レンジ加温用飲料充填ボトルを提案する。【選択図】図１
0003208002.tif 000002
【実用新案登録請求の範囲】
【請求項１】
飲料を充填する透明なプラスチック製ボトル容器本体と蓋体とを備えた電子レンジ加温用飲料充填ボトルであって、
プラチックフィルム（「ラベル」と称する）を、ボトル容器本体の外周に被覆してなる構成を備え、当該ラベルには、ボトル容器本体内に存在する飲料の容量を目視できる帯状の窓部が縦方向に設けられていると共に、当該窓部に沿った位置に、ボトル容器本体内に存在する飲料の容量に応じた電子レンジの出力及び加熱時間が表示されてなる構成を備えた、電子レンジ加温用飲料充填ボトル。
【請求項２】
蓋体を外した状態で電子レンジで加温可能であることを特徴とする請求項１に記載の電子レンジ加温用飲料充填ボトル。
【請求項３】
ボトル容器本体の胴部は、肉厚が２００μｍ〜３００μｍであるポリエチレンテレフタレート（「ＰＥＴ」と称する）からなることを特徴とする請求項１又は２に記載の電子レンジ加温用飲料充填ボトル。
【請求項４】
ボトル容器本体の容量（ｍｌ）に対する重量（ｍｇ）の割合が３０．０〜５０．０ｍｇ／ｍｌであることを特徴とする請求項１〜３の何れかに記載の電子レンジ加温用飲料充填ボトル。
【請求項５】
前記ラベルは、電子レンジで加温する際に蓋体を外すことを要求する表示を備えていることを特徴とする請求項１〜４の何れかに記載の電子レンジ加温用飲料充填ボトル。
【請求項６】
ボトル容器本体の単位高さ当たりの飲料充填容量が２．９０〜３．２０ｍＬ／ｍｍであることを特徴とする請求項１〜５の何れかに記載の電子レンジ加温用飲料充填ボトル。
【請求項７】
ボトル容器本体の高さが１６５ｍｍ〜１７５ｍｍであることを特徴とする請求項１〜６の何れかに記載の電子レンジ加温用飲料充填ボトル。
【請求項８】
ボトル容器本体の開口部は、結晶化ＰＥＴからなることを特徴とする請求項１〜７の何れかに記載の電子レンジ加温用飲料充填ボトル。
【請求項９】
茶飲料を充填する飲料用ボトルであることを特徴とする請求項１〜８の何れかに記載の電子レンジ加温用飲料充填ボトル。
【考案の詳細な説明】
【技術分野】
【０００１】
本考案は、茶飲料などの飲料を充填する飲料充填ボトルであって、特に電子レンジで加温して飲用するのに適した電子レンジ加温用飲料充填ボトルに関する。
【背景技術】
【０００２】
コーヒー飲料や、緑茶、ほうじ茶等の茶飲料に関しては、近年、冬場を中心として、ペットボトル詰め飲料を、ホットベンダーなどと云われる専用の什器に入れて加温状態で販売することがコンビニエンスストアなどで行われている。
ペットボトル詰め飲料についても、弁当類などと同じように、個別に電子レンジで加温することができれば、家庭でも気軽に加温することができて、とても便利である。しかし、ペットボトル詰め飲料については、電子レンジで加温すると、内容物である飲料が急激に気化して熱膨張したり、突沸したりする可能性があるため、電子レンジで加温することは困難であった。
【０００３】
電子レンジ加温用の飲料容器に関しては、例えば特許文献１において、容器部と蓋部とよりなり、容器部は、電気絶縁性の耐熱材料からなり、開口部の外径が胴部の最大外径の０．６〜１．５倍であり、蓋部は、加熱後に持ち運びができるよう容器部の内容を封じる手段であると共に、電子レンジ加熱時に容器部の内容を大気と連通する手段を有することを特徴とする電子レンジ加温用液体飲料容器が開示されている。
また、特許文献２において、ガラス製またはポリプロピレン製の容器部と、着脱自在の蓋部とよりなる電子レンジ加温用の使い捨ての液体飲料容器であって、蓋部が１．５〜７．０気圧で開封する手段を有することを特徴とする液体飲料容器が開示されている。
【０００４】
特許文献３においては、示温インキによる温度計と、予め設定した各温度から所定範囲の温度にまで容器内の飲料を昇温させるのに必要な電子レンジの各作動時間の一覧が記載された一覧表とを、それぞれ飲料が収納される容器に付設しておくことで、示温インキによる温度計の温度を見て、その温度に応じた電子レンジの作動時間を一覧表で照合してから、照合した作動時間にセットした電子レンジにより容器入り飲料を加熱する方法が開示されている。
【先行技術文献】
【特許文献】
【０００５】
【特許文献１】特開２００３−１１６７１５号公報
【特許文献２】特開２００３−１８２７５６号公報
【特許文献３】特開２００６−３４５７４３号公報
【考案の概要】
【考案が解決しようとする課題】
【０００６】
上述のように、コーヒー飲料や、緑茶、ほうじ茶等の茶飲料に関しては、ホットベンダーなどと云われる専用の什器に入れてペットボトル詰め飲料を加温状態で販売することが行われている。しかし、加温されたペットボトル詰め飲料を購入しても、冬場の寒い時期にはすぐに冷めてしまうという問題が指摘されていた。
ペットボトル詰め飲料は、一旦冷めてしまうと、専用の什器が無い場合には、電子レンジで加温する仕様にはなっていないため、家庭で再加温することは困難であった。ちなみに、ペットボトル詰め飲料の場合、電子レンジで加温すると、容器破損や変形の要因となるから、電子レンジで加温するのを禁止する旨がラベル等に記載されている場合が多い。特に容器内の飲料残量が少ない状態で電子レンジで加温すると、突沸する可能性があるため、飲料残量には特に注意する必要があった。
【０００７】
本考案は、電子レンジで安全に加温することができる新たな電子レンジ加温用飲料充填ボトルを提供せんとするものである。
【課題を解決するための手段】
【０００８】
本考案は、飲料を充填する透明なプラスチック製ボトル容器本体と蓋体とを備えた電子レンジ加温用飲料充填ボトルであって、プラチックフィルム（「ラベル」と称する）を、ボトル容器本体の外周に被覆してなる構成を備え、当該ラベルには、ボトル容器本体内に存在する飲料の容量を目視できる帯状の窓部が縦方向に設けられていると共に、当該窓部に沿った位置に、ボトル容器本体内に存在する飲料の容量に応じた電子レンジの出力及び加熱時間が表示されてなる構成を備えた、電子レンジ加温用飲料充填ボトルを提案する。
【考案の効果】
【０００９】
本考案が提案する電子レンジ加温用飲料充填ボトルは、ラベルに、ボトル容器本体内に存在する飲料の容量を目視できる窓部が設けられると共に、ボトル容器本体内に存在する飲料の容量に応じた電子レンジの出力及び加熱時間が表示されているため、当該窓部において、ボトル容器本体内に存在する飲料の容量を確認し、その飲料の容量に応じた出力及び加熱時間を電子レンジに設定し、且つ、蓋体を外した状態で加温することで、電子レンジで安全に加温することができる。
【図面の簡単な説明】
【００１０】
【図１】本考案の実施形態の一例に係る電子レンジ加温用飲料充填ボトルを例示した側面図である。
【考案を実施するための形態】
【００１１】
本考案の実施形態の一例に係る電子レンジ加温用飲料充填ボトル１（「本飲料充填ボトル１」と称する）は、図１に示すように、飲料を充填する透明なプラスチック製ボトル容器本体２と、蓋体３とを備えたボトル容器である。
【００１２】
充填する飲料の種類は特に限定するものではない。但し、電子レンジで加温する飲料であるから、例えば緑茶、ほうじ茶、ウーロン茶、紅茶、ジャスミン茶などの茶飲料、麦茶、コーヒー、ココアなどの飲料を好ましく例示することができる。
【００１３】
ボトル容器本体２は、透明なプラスチック製であるのが好ましい。但し、透明とは、半透明、色付き透明を含み、ボトル容器本体を通して内容物の量が確認できる程度に透して視認することができればよい。
ボトル容器本体２は、蓋体３を外した状態で電子レンジで加温可能であればよい。かかる観点から、ボトル容器本体の材料は、電子レンジで加温した際に変形してもよいが、溶融することがない樹脂材料であるのが好ましい。例えばポリエチレンテレフタレート（「ＰＥＴ」と称する）、ポリプロピレン、ポリエチレンなどを挙げることができる。また、耐熱性の観点から、例えばボトル容器本体２の少なくとも開口部２ｃ乃至ネック部２ｂが、結晶化ＰＥＴから形成されているのが好ましい。
なお、ボトル容器本体２の一部が異なる材料からなるものであってもよい。
【００１４】
ボトル容器本体２の胴部の肉厚は、電子レンジで加温した際に変形し難い一方、費用的な面などからできるだけ薄い方が好ましいから、１８０μｍ〜３５０μｍであるのが好ましく、中でも１８５μｍ以上或いは３３０μｍ以下、その中でも１９０μｍ以上或いは３２０μｍ以下であるのがさらに好ましい。
より具体的には、ボトル容器本体２の胴部は、１８０μｍ〜３５０μｍのＰＥＴからなるのが好ましく、中でも１８５μｍ以上或いは３３０μｍ以下のＰＥＴ、その中でも１９０μｍ以上或いは３２０μｍ以下のＰＥＴからなるのがさらに好ましく、さらにその中でも２００μｍ以上或いは３００μｍ以下であるのが特に好ましい。
【００１５】
ボトル容器本体２の容量（ｍｌ）に対する重量（ｍｇ）の割合は、強度等の観点から以上であるのが好ましく、６０．０ｍｇ／ｍｌ以下であるのが好ましい。
かかる観点から、ボトル容器本体２の容量（ｍｌ）に対する重量（ｍｇ）の割合は、３０．０〜６０．０ｍｇ／ｍｌであるのがさらに好ましく、中でも３０．０ｍｇ／ｍｌ以上或いは５０．０ｍｇ／ｍｌ以下、その中でも３５．０ｍｇ／ｍｌ以上であるのが特に好ましい。
【００１６】
ボトル容器本体２の形状は、底面付き円筒形状を呈する胴部２ａの上端部が窄まってネック部２ｂ及び開口部２ｃを有する形状であればよい。適宜リブなどを設けることは任意である。
【００１７】
ボトル容器本体２は、単位高さ当たりの飲料充填容量が２．００〜４．００（ｍＬ／ｍｍ）であるのが好ましい。単位高さ当たりの飲料充填容量が２．００（ｍＬ／ｍｍ）以上であれば、容器の径が十分に大きいため、電子レンジで加温した際に飲料に熱が均一に掛り、突沸し難くすることができる。他方、単位高さ当たりの飲料充填容量が４．００（ｍＬ／ｍｍ）以下であれば、流通が困難になることもない。
かかる観点から、ボトル容器本体２は、単位高さ当たりの飲料充填容量が２．２０〜３．８０（ｍＬ／ｍｍ）であるのがさらに好ましく、中でも２．５０（ｍＬ／ｍｍ）以上或いは３．２０（ｍＬ／ｍｍ）以下、その中でも２．８０（ｍＬ／ｍｍ）以上或いは３．２０（ｍＬ／ｍｍ）以下であるのがさらに好ましく、さらにその中でも２．９０（ｍＬ／ｍｍ）以上であるのが特に好ましい。
【００１８】
上記と同様の観点から、ボトル容器本体２の高さ寸法に対する幅寸法の割合は０．３〜０．６であるのが好ましく、中でも０．３０以上或いは０．５以下、その中でも０．４０以上或いは０．４５以下であるのがさらに好ましい。
【００１９】
ボトル容器本体２の高さは、１２０ｍｍ〜２００ｍｍであるのが好ましい。１２０ｍｍ以上であれば、飲料の充填容量が少な過ぎるということはない。他方、２００ｍｍ以下であれば、家庭の電子レンジに入れ易いから好適に加温することができる。
かかる観点から、ボトル容器本体２の高さは１３０ｍｍ〜２００ｍｍであるのがさらに好ましく、中でも１５０ｍｍ以上或いは１９０ｍｍ以下、その中でも１６０ｍｍ以上或いは１８０ｍｍ以下であるのがさらに好ましく、さらにその中でも１６５ｍｍ以上或いは１７５ｍｍ以下であるのが特に好ましい。
【００２０】
ボトル容器本体２の胴部２ａ外周を被覆するプラチックフィルム４（「ラベル４」と称する）は、一部又は全部が着色されており、通常は、商品名、内容量、原材料、保存方法、販売者などの表示を備えている。
【００２１】
本飲料充填ボトル１のラベル４は、図１に示すように、ボトル容器本体２内に存在する飲料の容量を目視できる帯状の窓部５が縦方向に設けられているのが好ましい。
この窓部５は、無色透明、或いは、ボトル容器本体内に存在する飲料の容量を目視できる程度に着色された透明であってもよい。
また、この窓部５は、容器底部２ｄから縦方向すなわち垂直方向に長く設けられていてもよいし、また、容器底部２ｄよりも上方位置から縦方向に長く設けられていてもよい。
また、この窓部５は、一連に繋がった帯状であってもよいし、図１に示すように、中間部分で分断された帯状であってもよい。
【００２２】
上記ラベル４には、図１に示すように、上記窓部５に沿った位置に間隔をおいて、ボトル容器本体２内に存在する飲料の容量に応じた電子レンジの出力及び加熱時間の表示６を備えているのが好ましい。
ボトル容器本体２内に存在する飲料の容量に応じた電子レンジの出力及び加熱時間の表示６の具体例としては、例えば図１に示すように、ボトル容器本体２内に存在する飲料の容量２００ｍＬに応じた位置の横に、言い換えれば窓部５の容器底部２ｄからの所定高さ置いた位置の横に、例えば（６００Ｗ、３０秒）（５００Ｗ、４０秒）と表示し、ボトル容器本体２内に存在する飲料の容量３００ｍＬに応じた位置の横、言い換えれば窓部５の容器底部２ｄからの所定高さ置いた位置の横に、例えば（６００Ｗ、４０秒）（５００Ｗ、５０秒）と表示し、且つ、ボトル容器本体２内に存在する飲料の容量４００ｍＬに応じた位置の横に、言い換えれば窓部５の容器底部２ｄからの所定高さ置いた位置の横に、例えば（６００Ｗ、５０秒）（５００Ｗ、６０秒）と表示する例を挙げることができる。但し、かかる例に限定するものではない。
【００２３】
上記ラベル４は、図１に示すように、電子レンジで加温する際に蓋体を外すことを要求する表示７を備えていてもよい。かかる表示７の記載例としては、例えば「必ずキャップを外してから電子レンジで加温してください。」を挙げることができる。但し、かかる例に限定するものではない。
【００２４】
上記ラベル４は、その他の記載を備えていてもよい。
例えば、電子レンジで加温する際の注意を示してもよい。具体的には、例えば「キャップを絞めて加温すると容器の破裂や、キャップをはずした際に内容液が噴き出す場合があります。」「内容液の量と温度により加温時間が異なります。」「過剰に加温すると内容液が噴き出し、ヤケドや容器が変形する場合がございます。」「「おまかせ機能」など、オート（自動）による加温はしないでください。」「電子レンジでの加温は１回限りにしてください。容器が変形する場合がございます。」「加温は一度に１本にしてください。」「残量２００ｍＬ未満での加温は推奨しません。」「別の液体を詰め替えて加温しないでください。」「お子様ひとりでのレンジ加温はお止めください。」などの表示を例示することができる。但し、これらに限定されるものではない。
【００２５】
なお、本明細書において、「Ｘ〜Ｙ」（Ｘ，Ｙは任意の数字）と表現した場合、特にことわらない限り「Ｘ以上Ｙ以下」の意と共に、「好ましくはＸより大きい」及び「好ましくはＹより小さい」の意を包含する。
また、本明細書において、「Ｘ以上」（Ｘは任意の数字）と表現した場合、特にことわらない限り「好ましくはＸより大きい」の意を包含し、「Ｙ以下」（Ｙは任意の数字）と表現した場合、特にことわらない限り「好ましくはＹより小さい」の意を包含する。
【実施例】
【００２６】
次に、本考案に関連して行った試験について説明する。
【００２７】
本試験では、蓋体を外した状態の５００ｍＬ容量のペットボトルに緑茶を所定量残存させて、所定条件で電子レンジ加温した場合に、液温が何度（℃）になるかを検証した。
【００２８】
この際、使用したペットボトルは、図１に示すように、ボトル容器本体の形状が、底面付き円筒形状を呈する胴部の上端部が窄まってネック部及び開口部を有する形状を呈しており、ボトル容器本体の胴部の肉厚は、部位によって若干のバラつきはあるが平均すると２３５μｍ、ボトル容器本体の容量（ｍｌ）に対する重量（ｍｇ）の割合は４３．３ｍｇ／ｍｌであった。また、ボトル容器本体の単位高さ当たりの飲料充填容量は３．０７（ｍＬ／ｍｍ）、ボトル容器本体の高さ寸法に対する幅寸法の割合は０．４２、ボトル容器本体の高さは１７１ｍｍであった。
また、ペットボトルには、緑茶飲料（粘度：１０．０ｃＰ以下）を充填した。
【００２９】
加温する前の液温（３℃、２０℃、３５℃）毎に容器内の液量を変えて（２００ｍＬ〜４００ｍＬ）、容器内の液量に応じて加温時間を変更し、大宇電子社製の電子レンジで６００Ｗで加熱し、加温後の液温を測定した。また、この測定を、ＨＰとＮＳとでそれぞれ行った。
【００３０】
なお、上記ＨＰとは、殺菌の為に加熱した飲料液充填することで容器内殺菌を行う充填方法であり、上記ＮＳとは“Non-Sterilant”（ノン・ステリラント＝殺菌剤を使用しない）を意味し、予め加温殺菌を行った容器に、飲料液を常温で充填する方法である。
【００３１】
【表１】
0003208002.tif 000003
【００３２】
一般的な家庭用電子レンジは、加熱時間の設定はボタン押下によるもの他、ダイヤルを回転させる方法等があるが、加熱時間が３０秒程度以下であると、正確な時間設定が困難となり、過加熱の要因ともなることが分かった。
従って、少なくとも安全に飲用可能な約５０℃への加熱時間が３０秒以上となるように、飲料液量は２００ｍｌ以上であることが望ましいことが分かった。
また、各種条件での上記電子レンジ加温においては、容器変形等の安全性の問題はいずれのケースでも発生しなかった。
【符号の説明】
【００３３】
１  電子レンジ加温用飲料充填ボトル１（本飲料充填ボトル）
２  ボトル容器本体
２ａ  胴部
２ｂ  ネック部
２ｃ  開口部
２ｄ  容器底部
３  蓋体
４  プラチックフィルム（ラベル）
５  窓部
６  電子レンジの出力及び加温時間の表示
７  電子レンジで加温する際に蓋体を外すことを要求する表示
【図１】
0003208002.tif 000004